(57)【特許請求の範囲】
【請求項１】
サーバーを中継して接続されている複数のクライアントが、当該各クライアントごとに固有の光ディスクドライブ内の書き換え可能な光ディスクメディアを使用するネットワークシステムにおいて、
前記サーバーが、前記クライアントが前記サーバーにログインした際に、当該クライアントが使用する前記光ディスクメディアに保存期間の過ぎたデータが存在するとき、前記保存期間切れのデータを削除するかどうかを当該クライアントに尋ねる手段と、
前記クライアントが前記保存期間切れのデータを削除する旨の応答をしたときは、当該クライアントがログアウトした後、当該保存期間切れのデータの削除を行う手段と、
前記サーバーが前記保存期間切れのデータの削除中に前記クライアントが再ログインしたときは、当該保存期間切れのデータの削除動作を中断する手段と、
を備えることを特徴とするネットワークシステム。
【請求項２】
前記サーバーは、前記各クライアントに対応する前記光ディスクドライブ内の前記光ディスクメディアにデータの書き込みを設定したとき、そのデータの前記保存期間の情報を管理する手段を備える請求項１に記載のネットワークシステム。
【請求項３】
前記サーバーは、前記クライアントの再ログインにより中断した前記保存期間切れのデータの削除動作を、当該クライアントの再ログアウト後に再開する手段を備える請求項１または２に記載のネットワークシステム。
【発明の詳細な説明】
【０００１】
【発明の属する技術分野】
この発明は、複数のクライアントがサーバーを中継して接続されている各クライアント固有の書き換え可能な光ディスク（例えばＣＤ−ＲＷ，ＤＶＤ−ＲＡＭ，ＭＯ，ＰＤ，ＭＤ等）ドライブ、あるいは各クライアントごとに固有の領域が割り振られている書き換え可能な光ディスクメディアや磁気ディスク（例えばハードディスクやフロッピィーディスク、ＭＴ等）のドライブにアクセス可能であるネットワーク、すなわち、各クライアント固有の書き換え可能な光ディスクメディアのドライブや、磁気メディアのドライブにアクセス可能な機能を有するネットワークシステムに関する。
【０００２】
【従来の技術】
複数のクライアントがサーバーを中継して接続されている各クライアント固有の書き換え可能な光ディスクドライブを使用するネットワークシステムは、従来から知られている。
このようなネットワークでは、サーバーが、各クライアントに固有の光ディスクメディアを管理する機能を有しており、また、サーバーが行なう制御動作については、サーバー本体に内蔵されている磁気ディスク装置が使用される。
この場合に、サーバーが管理する各書き換え可能な光ディスクメディア上のデータ（ファイル）については、予め保存期間が設定されているデータや、特に保存期間は設定されず、長期にわたって保持されるデータなどが混在している。
光ディスクメディアの記憶容量は、磁気メディアの容量に比べて大きいが、いずれのメディアについても、保存期間の過ぎた不要データは迅速に削除することが望ましい。
【０００３】
このような保存期間の切れたデータの削除に関する従来の技術としては、磁気ディスク装置の各ファイルについて、そのアクセス回数を調査し、アクセス回数の少ないファイルを自動的に削除することにより、資源管理にかかる手間を省略する方法が知られている（例えば特開平６−１６８１６５号公報）。
この方法を採用すれば、磁気ディスク装置のファイルが自動的に削除されるので、資源管理にかかる手間を省略することができる。
したがって、磁気ディスクの効率的な利用が可能になる。
【０００４】
【発明が解決しようとする課題】
先の従来技術で説明したように、サーバーが管理する各書き換え可能な光ディスクメディア上のデータ（ファイル）では、保存期間が過ぎた不要データは迅速に削除することが望ましい。
しかし、そのアクセス回数を調査し、アクセス回数の少ないファイルから自動的に削除する方法は、各ファイルの重要度を判断する一つの基準に過ぎず、場合によっては重要度が高いファイルが削除されてしまう虞がある（前述の特開平６−１６８１６５号公報）。
この発明では、書き換え可能な光ディスクメディアの記憶容量は、磁気ディスクの容量に比べて大きいので、保存期間が切れたかどうかについてチェックして自動的に削除すれば、通常の読み書き処理に際しては格別不都合が生じない、という点に着目し、サーバーが各クライアントに対応する固有の光ディスクに記録するデータそれぞれの保存期間の管理と、それに伴う不要データの自動削除とを可能にしたデータの自動削除システムを実現することを課題とする。
【０００５】
【課題を解決するための手段】
請求項１の発明では、サーバーを中継して接続されている複数のクライアントが、当該各クライアントごとに固有の光ディスクドライブ内の書き換え可能な光ディスクメディアを使用するネットワークシステムにおいて、前記サーバーが、前記クライアントが前記サーバーにログインした際に、当該クライアントが使用する前記光ディスクメディアに保存期間の過ぎたデータが存在するとき、前記保存期間切れのデータを削除するかどうかを当該クライアントに尋ねる手段と、前記クライアントが前記保存期間切れのデータを削除する旨の応答をしたときは、当該クライアントがログアウトした後、当該保存期間切れのデータの削除を行う手段と、前記サーバーが前記保存期間切れのデータの削除中に前記クライアントが再ログインしたときは、当該保存期間切れのデータの削除動作を中断する手段と、を備える。
【０００６】
請求項２の発明では、請求項１に記載のネットワークシステムにおいて、前記サーバーは、前記各クライアントに対応する前記光ディスクドライブ内の前記光ディスクメディアにデータの書き込みを設定したとき、そのデータの前記保存期間の情報を管理する手段を備える。
【０００７】
請求項３の発明では、請求項１または２に記載のネットワークシステムにおいて、前記サーバーは、前記クライアントの再ログインにより中断した前記保存期間切れのデータの削除動作を、当該クライアントの再ログアウト後に再開する手段を備える。
【００１０】
【発明の実施の形態】
この発明では、サーバーが、各クライアントに固有の光ディスクに記録するそれぞれのデータの保存期間を管理すると共に、当該クライアントの関与を不要にした書き換え可能な光ディスクメディア上データの自動削除システムを実現した点に特徴を有している。
具体的にいえば、保存期間切れのデータがあったとき、サーバーが、当該データの削除を当該クライアントに訊ねることによって、クライアントが自動削除の可否の再考を可能にした書き換え可能な光ディスクメディア上データの自動削除システムを実現する（請求項１と請求項２の発明）。
また、当該クライアントが当該データの削除を許可したとき、当該クライアントのログアウト直後にデータの自動削除を実行したり（請求項３の発明）、データの自動削除中に当該クライアントが再ログインしたときは実行中の削除動作を中断し（請求項４の発明）、当該クライアントの再ログアウト直後に中断した削除動作を再開する（請求項５の発明）。
最初に、ハード構成について説明する。
【００１１】
図１は、この発明の書き換え可能な光ディスクメディア上データの自動削除システムについて、その要部構成の実施の形態の一例を概念的に示す機能ブロック図である。図において、１はサーバー、２ａ〜２ｎはクライアント、３ａ〜３ｎは光ディスクドライブ、４はＬＡＮ回線を示す。
【００１２】
この図１に示す書き換え可能な光ディスクメディア上データの自動削除システムは、従来のネットワークシステム、すなわち、複数のクライアント２ａ〜２ｎがサーバー１を中継して接続されている各クライアント（２ａ〜２ｎ）ごとに固有の書き換え可能な光ディスクメディア（ドライブ３ａ〜３ｎ）を使用するネットワークシステムと基本的に同様である。
この図１のシステムでは、クライアント２ａ〜２ｎの数Ｎ（Ｎは任意の整数）に対応して、それぞれ１個の光ディスクドライブ３ａ〜３ｎが、合計Ｎ個接続されている場合を示している。
これらの各クライアント２ａ〜２ｎは、ＬＡＮ回線４によってサーバー１と接続され、また、図示は省略しているが、各クライアント２ａ〜２ｎと各クライアントに固有の光ディスクドライブ３ａ〜３ｎとは、ＳＣＳＩケーブルによって結ばれている。
【００１３】
図１に示したこの発明の書き換え可能な光ディスクメディア上データの自動削除システムでは、サーバー１は、クライアント２ａ〜２ｎの内のある１つのクライアント（以下適宜、当該クライアントという）が、そのクライアントに固有の光ディスクドライブ（３ａ〜３ｎ）にデータの書き込みを設定したとき、そのデータ（以下適宜、当該データという）の保存期間情報の管理や、保存期間情報と当該クライアントとの合意に基づく当該データの自動削除などを実行する機能を有している。
次に、この発明の書き換え可能な光ディスクメディア上データの自動削除システムについて、データの自動削除の動作をフローによって説明する。
【００１４】
図２と図３は、この発明の書き換え可能な光ディスクメディア上データの自動削除システムの一実施の形態について、１つのクライアントのログインからログアウト後におけるデータの自動削除時の主要な処理の流れを示すフローチャートである。図において、＃１〜＃１６はステップを示し、▲１▼と▲２▼は接続を示す。
【００１５】
図２のステップ＃１で、クライアントがログインする。
ステップ＃２で、サーバーがデータの削除中であるかどうかチェックする。
データの削除中のときは、ステップ＃３へ進み、削除動作を中断する（請求項４の発明）。
ステップ＃４で、すでに保存期間の過ぎたデータが存在するかどうかチェックする。
保存期間の過ぎたデータが存在するときは、ステップ＃５で、当該データを削除するかどうかについて、当該クライアントに訊ねる（請求項２の発明）。
【００１６】
当該クライアントが当該データを削除する旨の応答をしたときは、ステップ＃６で、当該クライアントがログアウトするまで待機し、当該クライアントがログアウトした後、ステップ＃７へ進み、中断された削除動作を再開する（請求項３の発明）。
ステップ＃８で、再開した削除動作を完了すると、ステップ＃９へ進み、当該データの削除を開始して（請求項５の発明）、この図２のフローを終了する。
また、先のステップ＃４でチェックした結果、保存期間の過ぎたデータが存在しないときや、ステップ＃５で訊ねた結果、当該クライアントが当該データを削除しない旨の応答をしたときは、ステップ＃１０へ進み、当該クライアントがログアウトするまで待機し、当該クライアントがログアウトした後、ステップ＃１１で、中断された削除動作を再開して、この図２のフローを終了する。
【００１７】
これに対して、先のステップ＃２でチェックした結果、サーバーがデータの削除中でないときは、図３のステップ＃１２へ進み（図２の▲１▼から図３の▲１▼）、すでに保存期間の過ぎたデータが存在するかどうかチェックする。
保存期間の過ぎたデータが存在するときは、ステップ＃１３で、当該データを削除するかどうかについて、当該クライアントに訊ねる。
当該クライアントが当該データを削除する旨の応答をしたときは、ステップ＃１４で、当該クライアントがログアウトするまで待機し、当該クライアントがログアウトした後ステップ＃１５へ進み、当該データの削除動作を開始して（請求項５の発明）、この図３と図２のフローを終了する（図３の▲２▼から図２の▲２▼）。また、先のステップ＃１２でチェックした結果、保存期間の過ぎたデータが存在しないときや、ステップ＃１３で訊ねた結果、当該クライアントが当該データを削除しない旨の応答をしたときは、ステップ＃１６へ進み、当該クライアントがログアウトするまで待機し、当該クライアントがログアウトした後、この図３と図２のフローを終了する。
以上のステップ＃１〜＃１６によって、この発明の書き換え可能な光ディスクメディア上データの自動削除システムによるクライアントのログインからログアウト後におけるデータの自動削除が実行される（請求項１の発明）。
【００１８】
【発明の効果】
請求項１記載の発明によれば、クライアントが保存期間切れのデータを削除する旨の応答をしたときは、当該クライアントがログアウトした後、サーバーが当該保存期間切れのデータの削除を行なうので、クライアントは、各クライアントに対応する固有の光ディスクメディア上の不要になったデータの削除に時間を費やす必要がなくなり、使用効率が向上される。また、サーバーが保存期間切れのデータの削除中にクライアントが再ログインしたときは、サーバーが当該保存期間切れのデータの削除動作を中断することにより、サーバーが保存期間切れのデータの削除中に、クライアントが再ログインした場合でも、そのクライアントは再ログイン直後に、その光ディスクメディアにアクセスすることが可能になる。
【００１９】
請求項２記載の発明によれば、請求項１に記載のネットワークシステムにおいて、サーバーは、各クライアントに対応する光ディスクドライブ内の光ディスクメディアにデータの書き込みを設定したとき、そのデータの保存期間の情報を管理することにより、クライアントは、各クライアントに対応する固有の光ディスクメディア上の不要になったデータの削除に時間を費やす必要がなくなり、使用効率が向上される。
【００２０】
請求項３記載の発明によれば、請求項１または２に記載のネットワークシステムにおいて、サーバーは、クライアントの再ログインにより中断した保存期間切れのデータの削除動作を、当該クライアントの再ログアウト後に再開することにより、中断された削除対象のデータを確実に削除することが可能になる。
【図面の簡単な説明】
【図１】この発明の書き換え可能な光ディスクメディア上データの自動削除システムについて、要部構成の実施の形態の一例を概念的に示す機能ブロック図である。
【図２】この発明の書き換え可能な光ディスクメディア上データの自動削除システムの一実施の形態について、１つのクライアントのログインからログアウト後におけるデータの自動削除時の主要な処理の流れを示すフローチャートである。
【図３】この発明の書き換え可能な光ディスクメディア上データの自動削除システムの一実施の形態について、１つのクライアントのログインからログアウト後におけるデータの自動削除時の主要な処理の流れを示すフローチャートである。
【符号の説明】
１……サーバー、２ａ〜２ｎ……クライアント、３ａ〜３ｎ……光ディスクドライブ、４……ＬＡＮ回線
【図１】
0003980748.tif 000002
【図２】
0003980748.tif 000003
【図３】
0003980748.tif 000004